(57)【要約】  裏面に配設される絶縁フィルム及び表面に配設される１又は複数のランド部を有するプリント配線板と、上記１又は複数のランド部に実装される１又は複数の電子部品と、上記絶縁フィルムの裏面に積層される接着剤層とを備える放熱性回路基板であって、上記電子部品毎の１又は複数のランド部の投影領域を少なくとも覆う第１領域で上記絶縁フィルム及び接着剤層が除去されており、上記絶縁フィルム及び接着剤層の除去部分に熱伝導性接着剤が充填されている放熱性回路基板。
2015059967.tif 000002
【特許請求の範囲】
【請求項１】
裏面に配設される絶縁フィルム及び表面に配設される１又は複数のランド部を有するプリント配線板と、
上記１又は複数のランド部に実装される１又は複数の電子部品と、
上記絶縁フィルムの裏面に積層される接着剤層と
を備える放熱性回路基板であって、
上記電子部品毎の１又は複数のランド部の投影領域を少なくとも覆う第１領域で上記絶縁フィルム及び接着剤層が除去されており、
上記絶縁フィルム及び接着剤層の除去部分に熱伝導性接着剤が充填されている放熱性回路基板。
【請求項２】
上記第１領域がその領域に配設される電子部品の投影領域と重複し、上記第１領域の占有面積がその領域に配設される電子部品の投影面積の２倍以下である請求項１に記載の放熱性回路基板。
【請求項３】
上記第１領域を覆う第２領域で上記接着剤層がさらに除去されている請求項１又は請求項２に記載の放熱性回路基板。
【請求項４】
上記プリント配線板が第１領域毎に貫通孔を有し、この貫通孔の少なくとも裏面側にも上記熱伝導性接着剤が充填されている請求項２又は請求項３に記載の放熱性回路基板。
【請求項５】
上記熱伝導性接着剤が、上記貫通孔及びその上部にも充填され、電子部品裏面に当接している請求項４に記載の放熱性回路基板。
【請求項６】
上記プリント配線板が可撓性を有する請求項１から請求項５のいずれか１項に記載の放熱性回路基板。
【請求項７】
上記絶縁フィルムの主成分が、ポリイミド、液晶ポリマー、フッ素樹脂、ポリエチレンテレフタレート、又はポリエチレンナフタレートである請求項１から請求項６のいずれか１項に記載の放熱性回路基板。
【請求項８】
上記熱伝導性接着剤の熱伝導率が１Ｗ／ｍＫ以上である請求項１から請求項７のいずれか１項に記載の放熱性回路基板。
【請求項９】
上記電子部品が発光ダイオードである請求項１から請求項８のいずれか１項に記載の放熱性回路基板。
【請求項１０】
上記プリント配線板の表面が光反射機能を有する請求項９に記載の放熱性回路基板。
【請求項１１】
上記接着剤層の裏面に配置される支持部材を備える請求項１から請求項１０のいずれか１項に記載の放熱性回路基板。
【請求項１２】
上記支持部材が、上記プリント配線板の積層領域に湾曲面又は屈曲面を有する請求項１１に記載の放熱性回路基板。
【請求項１３】
裏面に配設される絶縁フィルム及び表面に配設される１又は複数のランド部を有するプリント配線板と、上記１又は複数のランド部に実装される１又は複数の電子部品と、上記絶縁フィルムの裏面に積層される接着剤層と、この接着剤層の裏面に配置される支持部材とを備える放熱性回路基板の製造方法であって、
上記１又は複数のランド部に１又は複数の電子部品を実装する工程と、
上記電子部品毎の１又は複数のランド部の投影領域を少なくとも覆う第１領域で上記絶縁フィルムを除去する工程と、
上記絶縁フィルムの裏面に上記第１領域の相当部分を少なくとも除去した接着剤層を積層する工程と、
上記絶縁フィルム及び接着剤層の除去部分に熱伝導性接着剤を充填する工程と、
上記除去部分に熱伝導性接着剤を充填した接着剤層の裏面に支持部材を配置する工程と
を備える放熱性回路基板の製造方法。
【発明の詳細な説明】
【技術分野】
【０００１】
本発明は、放熱性回路基板及びその製造方法に関する。
【背景技術】
【０００２】
プリント配線板に実装される電子部品の中には、例えば発光ダイオード（ＬＥＤ：Ｌｉｇｈｔ  Ｅｍｉｔｔｉｎｇ  Ｄｉｏｄｅ）のように稼働時の発熱量が大きいものがある。このような高発熱性の電子部品を実装するプリント配線板では、加熱による電子部品の機能低下や回路の損傷を防ぐため、一般に放熱用の金属板等が積層される。【０００３】
また、電子部品の放熱効果をより高めるため、金属板とプリント配線板とを熱伝導率の高い熱伝導性接着剤で接着した回路基板（特開平６−２３２５１４号公報参照）や、金属板の上に熱伝導性接着剤を介して直接導電パターンを形成した回路基板（特開平９−１３９５８０号公報参照）等が考案されている。
【先行技術文献】
【特許文献】
【０００４】
【特許文献１】特開平６−２３２５１４号公報
【特許文献２】特開平９−１３９５８０号公報
【発明の概要】
【発明が解決しようとする課題】
【０００５】
上述の金属板とプリント配線板とを熱伝導性接着剤で接着した回路基板は、金属板と電子部品（導電パターン）との間に絶縁フィルムが存在するため、十分な放熱効果が得らにくい。そのため、近年普及しつつある複数のＬＥＤを備えたＬＥＤ照明装置の回路基板として用いた場合、使用条件が制限されるという不都合がある。【０００６】
また、上述の金属板上に熱伝導性接着剤を介して導電パターンを形成した回路基板は、例えば基板が湾曲した際等に硬化した熱伝導性接着剤が断裂等して絶縁性が低下するという不都合がある。【０００７】
そこで、絶縁信頼性が高く、かつ電子部品の放熱を効果的に促進できる放熱性回路基板及びその製造方法を提供する。
【課題を解決するための手段】
【０００８】
上記課題を解決するためになされた発明の一態様に係る放熱性回路基板は、裏面に配設される絶縁フィルム及び表面に配設される１又は複数のランド部を有するプリント配線板と、上記１又は複数のランド部に実装される１又は複数の電子部品と、上記絶縁フィルムの裏面に積層される接着剤層とを備える放熱性回路基板であって、上記電子部品毎の１又は複数のランド部の投影領域を少なくとも覆う第１領域で上記絶縁フィルム及び接着剤層が除去されており、上記絶縁フィルム及び接着剤層の除去部分に熱伝導性接着剤が充填されている。【０００９】
さらに、上記課題を解決するためになされた別の発明の一態様に係る放熱性回路基板の製造方法は、裏面に配設される絶縁フィルム及び表面に配設される１又は複数のランド部を有するプリント配線板と、上記１又は複数のランド部に実装される１又は複数の電子部品と、上記絶縁フィルムの裏面に積層される接着剤層と、この接着剤層の裏面に配置される支持部材とを備える放熱性回路基板の製造方法であって、上記１又は複数のランド部に１又は複数の電子部品を実装する工程と、上記電子部品毎の１又は複数のランド部の投影領域を少なくとも覆う第１領域で上記絶縁フィルムを除去する工程と、上記絶縁フィルムの裏面に上記第１領域の相当部分を少なくとも除去した接着剤層を積層する工程と、上記絶縁フィルム及び接着剤層の除去部分に熱伝導性接着剤を充填する工程と、上記除去部分に熱伝導性接着剤を充填した接着剤層の裏面に支持部材を配置する工程とを備える。
【発明の効果】
【００１０】
本発明の一態様に係る放熱性回路基板及びその製造方法は、絶縁信頼性が高く、かつ実装された電子部品の放熱を効果的に促進でき、ＬＥＤ照明装置等に好適に用いられる回路基板を提供することができる。
【図面の簡単な説明】
【００１１】
【図１】図１は、本発明の一実施形態における放熱性回路基板を示す模式的断面図である。
【図２】図２は、図１の放熱性回路基板の変形例を示す模式的断面図である。
【図３】図３は、図１及び図２とは異なる実施形態における放熱性回路基板を示す模式的断面図である。
【図４Ａ】図４Ａは、図３の放熱性回路基板の製造方法を示す模式的断面図である。
【図４Ｂ】図４Ｂは、図３の放熱性回路基板の製造方法の図４Ａの次の工程を示す模式的断面図である。
【図４Ｃ】図４Ｃは、図３の放熱性回路基板の製造方法の図４Ｂの次の工程を示す模式的断面図である。
【図４Ｄ】図４Ｄは、図３の放熱性回路基板の製造方法の図４Ｃの次の工程を示す模式的断面図である。
【図５】図５は、図１、図２及び図３とは異なる実施形態における放熱性回路基板を示す模式的断面図である。
【図６】図６は、図１、図２、図３及び図５とは異なる実施形態における放熱性回路基板を示す模式的断面図である。
【図７】図７は、図１、図２、図３、図５及び図６とは異なる実施形態における放熱性回路基板を示す模式的断面図である。
【図８】図８は、図１、図２、図３、図５、図６及び図７とは異なる実施形態における放熱性回路基板を示す模式的断面図である。
【発明を実施するための形態】
【００１２】
［本発明の実施形態の説明］
（１）本発明の一態様に係る放熱性回路基板は、裏面に配設される絶縁フィルム及び表面に配設される１又は複数のランド部を有するプリント配線板と、上記１又は複数のランド部に実装される１又は複数の電子部品と、上記絶縁フィルムの裏面に積層される接着剤層とを備える放熱性回路基板であって、上記電子部品毎の１又は複数のランド部の投影領域を少なくとも覆う第１領域で上記絶縁フィルム及び接着剤層が除去されており、上記絶縁フィルム及び接着剤層の除去部分に熱伝導性接着剤が充填されている。
【００１３】
当該放熱性回路基板は、電子部品毎のランド部の投影領域を少なくとも覆う第１領域で絶縁フィルム及び接着剤層が除去され、その除去部分に熱伝導性接着剤が充填されているため、プリント配線板の導電パターンに熱伝導性接着剤が直接積層される。そのため、当該放熱性回路基板は、金属板等の支持部材に接着剤層及び熱伝導性接着剤を介して積層された際に、上記導電パターンと金属板等の支持部材とが熱伝導性接着剤のみを介して接続されるため、電子部品の放熱効果を著しく促進することができる。
なお、「ランド部の投影領域」とは、ランド部の投影領域の一部又は全体を意味する。つまり、実装する電子部品の形状や特性によっては、ランド部の投影領域において放熱性が確保され難い領域（金属板等の支持部材に熱伝導性接着剤を介して接続しても放熱効果が促進されない領域）が生じる場合などがある。このような放熱性が確保され難い領域については絶縁フィルム及び接着剤層を除去しなくとも、ランド部の投影領域の残りの領域で絶縁フィルム及び接着剤層を除去し熱伝導性接着剤を充填することで放熱効果を奏することができる。すなわち、ランド部の投影領域の一部を第１領域が覆っていない形態も本発明に含まれる。
また、支持部材は電子部品等で発生した熱を放熱する役割もするため、「支持部材」を「放熱部材」と呼ぶこともできる。
【００１４】
（２）上記第１領域がその領域に配設される電子部品の投影領域と重複し、上記第１領域の占有面積がその領域に配設される電子部品の投影面積の２倍以下であるとよい。このように第１領域が電子部品の投影領域と重複し、かつその面積を上記上限以下とすることで、絶縁フィルムの除去面積を最小限に抑えつつ、上述の電子部品の放熱効果を確実に奏することができる。
【００１５】
（３）上記第１領域を覆う第２領域で上記接着剤層がさらに除去されているとよい。このように第１領域よりも広い第２領域で接着剤層を除去することで、熱伝導性接着剤の充填作業及び絶縁フィルムの除去領域と接着剤層の除去領域との位置合わせ作業を容易にすることができる。
【００１６】
（４）上記プリント配線板が第１領域毎に貫通孔を有し、この貫通孔の少なくとも裏面側にも上記熱伝導性接着剤が充填されているとよい。このような貫通孔をプリント配線板に形成することで、熱伝導性接着剤充填時に熱伝導性接着剤が第１領域以外に漏出することを防止することができる。
【００１７】
（５）上記熱伝導性接着剤が、上記貫通孔及びその上部にも充填され、電子部品裏面に当接しているとよい。このように上記貫通孔を介して熱伝導性接着剤を電子部品に当接させることで、電子部品の放熱効果をさらに促進できる。
【００１８】
（６）上記プリント配線板が可撓性を有するとよい。このようにプリント配線板が可撓性を有することで、湾曲面等を有する金属板等の支持部材に容易に積層することができる。
【００１９】
（７）上記絶縁フィルムの主成分が、ポリイミド、液晶ポリマー、フッ素樹脂、ポリエチレンテレフタレート、又はポリエチレンナフタレートであるとよい。絶縁フィルムとしてこれらの樹脂を用いることで、絶縁フィルムの絶縁性等を高めることができる。なお、「主成分」とは、最も含有量の多い成分であり、例えば含有量が５０質量％以上の成分をいう。また、「フッ素樹脂」とは、高分子鎖の繰り返し単位を構成する炭素原子に結合する水素原子の少なくとも１つが、フッ素原子又はフッ素原子を有する有機基で置換されたものをいう。
【００２０】
（８）上記熱伝導性接着剤の熱伝導率としては１Ｗ／ｍＫ以上が好ましい。このように熱伝導性接着剤の熱伝導率を上記下限以上とすることで、電子部品の放熱効果をさらに促進できる。
【００２１】
（９）上記電子部品が発光ダイオードであるとよい。当該放熱性回路基板は、上述のように高い放熱効果を有するため、ＬＥＤ回路基板として好適に用いることができる。
【００２２】
（１０）上記電子部品が発光ダイオードである場合、上記プリント配線板の表面が光反射機能を有するとよい。当該放熱性回路基板は、上述のように高い放熱効果を有するため、フィラーや塗料等の放熱を阻害する素材によってプリント配線板表面に光反射機能を付与しても、発光ダイオードの放熱性を維持することができる。
【００２３】
（１１）当該放熱性回路基板は、上記接着剤層の裏面に配置される支持部材を備えるとよい。この支持部材と上記導電パターンとを熱伝導性接着剤のみを介して接続することで、上述の放熱効果が容易かつ確実に奏される。
【００２４】
（１２）上記支持部材が、上記プリント配線板の積層領域に湾曲面又は屈曲面を有するとよい。当該放熱性回路基板は、上記第１領域以外の領域においてプリント配線板が絶縁フィルムを有するため、支持部材に沿って湾曲等させても絶縁性が低下し難い。従って、湾曲面や屈曲面を有する支持部材を用いても絶縁信頼性を維持できるため、種々の形状を採用することができる。
【００２５】
（１３）また、本発明の一態様に係る放熱性回路基板の製造方法は、裏面に配設される絶縁フィルム及び表面に配設される１又は複数のランド部を有するプリント配線板と、上記１又は複数のランド部に実装される１又は複数の電子部品と、上記絶縁フィルムの裏面に積層される接着剤層と、この接着剤層の裏面に配置される支持部材とを備える放熱性回路基板の製造方法であって、上記１又は複数のランド部に１又は複数の電子部品を実装する工程と、上記電子部品毎の１又は複数のランド部の投影領域を少なくとも覆う第１領域で上記絶縁フィルムを除去する工程と、上記絶縁フィルムの裏面に上記第１領域の相当部分を少なくとも除去した接着剤層を積層する工程と、上記絶縁フィルム及び接着剤層の除去部分に熱伝導性接着剤を充填する工程と、上記除去部分に熱伝導性接着剤を充填した接着剤層の裏面に支持部材を配置する工程とを備える放熱性回路基板の製造方法を含む。
【００２６】
当該放熱性回路基板の製造方法は、電子部品毎のランド部の投影領域を少なくとも覆う第１領域で絶縁フィルム及び接着剤層が除去され、その除去部分に熱伝導性接着剤が充填され、プリント配線板の導電パターンと金属板等の支持部材とが熱伝導性接着剤のみを介して接続される放熱性回路基板を容易かつ確実に得ることができる。この放熱性回路基板は、電子部品の放熱効果を著しく促進することができる。
【００２７】
［本発明の実施形態の詳細］
以下、本発明に係る放熱性回路基板及び放熱性回路基板の製造方法の実施形態について図面を参照しつつ詳説する。なお、放熱性回路基板の実施形態における「表裏」は、放熱性回路基板の厚さ方向のうち、電子部品実装側を表、電子部品実装側と反対側を裏とする方向を意味し、当該放熱性回路基板の使用状態における表裏を意味するものではない。
【００２８】
［第一実施形態］
図１に示す放熱性回路基板１は、裏面に配設される絶縁フィルム（ベースフィルム）２ａ及び表面に配設される複数のランド部２ｂを含む導電パターン２ｃを有するフレキシブルプリント配線板２と、上記複数のランド部２ｂに実装される発光ダイオード３と、上記絶縁フィルム（ベースフィルム）２ａの裏面に積層される接着剤層４とを主に備える。また、上記発光ダイオード３の複数のランド部２ｂの投影領域を少なくとも覆う第１領域Ａで上記絶縁フィルム（ベースフィルム）２ａ及び接着剤層４が除去されており、上記絶縁フィルム（ベースフィルム）２ａ及び接着剤層４の除去部分に熱伝導性接着剤５が充填されている。
【００２９】
＜フレキシブルプリント配線板＞
フレキシブルプリント配線板２は、絶縁性及び可撓性を有する絶縁フィルム（ベースフィルム）２ａと、この絶縁フィルム（ベースフィルム）２ａの表面に積層される導電パターン２ｃと、この導電パターン２ｃの表面に積層されるカバーレイ２ｄとを有する。上記導電パターン２ｃは、複数のランド部２ｂと、このランド部２ｂに接続される配線とを有し、このランド部２ｂには後述の発光ダイオード３が電気的に接続されるように配設（実装）されている。なお、導電パターン２ｃは絶縁フィルム（ベースフィルム）２ａの表面に塗工された接着剤を介して積層されていてもよい。
【００３０】
（絶縁フィルム（ベースフィルム））
上記フレキシブルプリント配線板２を構成する絶縁フィルム（ベースフィルム）２ａは、絶縁性及び可撓性を有するシート状部材で構成されている。この絶縁フィルム（ベースフィルム）２ａを構成するシート状部材としては、具体的には樹脂フィルムを採用可能である。この樹脂フィルムの主成分としては、ポリイミド、液晶ポリマー、フッ素樹脂、ポリエチレンテレフタレート、又はポリエチレンナフタレートが好適に用いられる。なお、絶縁フィルム（ベースフィルム）２ａは、充填材、添加剤等を含んでもよい。
【００３１】
上記液晶ポリマーは、溶融状態で液晶性を示すサーモトロピック型と、溶液状態で液晶性を示すリオトロピック型があるが、本発明の一態様に係る放熱性回路基板ではサーモトロピック型液晶ポリマーを用いることが好ましい。
【００３２】
上記液晶ポリマーは、例えば芳香族ジカルボン酸と芳香族ジオールや芳香族ヒドロキシカルボン酸等のモノマーとを合成して得られる芳香族ポリエステルである。その代表的なものとしては、パラヒドロキシ安息香酸（ＰＨＢ）とテレフタル酸と４，４’−ビフェノールとから合成される下記式（１）、（２）及び（３）のモノマーを重合した重合体、ＰＨＢとテレフタル酸とエチレングリコールとから合成される下記式（３）及び（４）のモノマーを重合した重合体、ＰＨＢと２，６−ヒドロキシナフトエ酸とから合成される下記式（２）、（３）及び（５）のモノマーを重合した重合体等を挙げることができる。
【００３３】
【化１】
2015059967.tif 000003
【００３４】
この液晶ポリマーとしては、液晶性を示すものであれば特に限定されず、上記各重合体を主体（液晶ポリマー中、５０モル％以上）とし、他のポリマー又はモノマーが共重合されていてもよい。また、液晶ポリマーは液晶ポリエステルアミドであってもよいし、液晶ポリエステルエーテルであってもよいし、液晶ポリエステルカーボネートであってもよいし、液晶ポリエステルイミドであってもよい。
【００３５】
液晶ポリエステルアミドは、アミド結合を有する液晶ポリエステルであり、例えば下記式（６）並びに上記式（２）及び（４）のモノマーを重合した重合体を挙げることができる。
【００３６】
【化２】
2015059967.tif 000004
【００３７】
液晶ポリマーは、それを構成する構成単位に対応する原料モノマーを溶融重合させ、得られた重合物（プレポリマー）を固相重合させることにより製造することが好ましい。これにより、耐熱性、強度、剛性等が高い高分子量の液晶ポリマーを操作性良く製造することができる。溶融重合は、触媒の存在下に行ってもよく、この触媒の例としては、酢酸マグネシウム、酢酸第一錫、テトラブチルチタネート、酢酸鉛、酢酸ナトリウム、酢酸カリウム、三酸化アンチモン等の金属化合物や、４−（ジメチルアミノ）ピリジン、１−メチルイミダゾール等の含窒素複素環式化合物が挙げられ、含窒素複素環式化合物が好ましく用いられる。
【００３８】
上記フッ素樹脂は、高分子鎖の繰り返し単位を構成する炭素原子に結合する水素原子の少なくとも１つが、フッ素原子又はフッ素原子を有する有機基（以下「フッ素原子含有基」ともいう）で置換されたものをいう。フッ素原子含有基は、直鎖状又は分岐状の有機基中の水素原子の少なくとも１つがフッ素原子で置換されたものであり、例えばフルオロアルキル基、フルオロアルコキシ基、フルオロポリエーテル基等が挙げられる。
【００３９】
「フルオロアルキル基」とは、少なくとも１つの水素原子がフッ素原子で置換されたアルキル基を意味し、「パーフルオロアルキル基」を包含する。具体的には、「フルオロアルキル基」は、アルキル基の全ての水素原子がフッ素原子で置換された基、アルキル基の末端の１個の水素原子以外の全ての水素原子がフッ素原子で置換された基等を包含する。
【００４０】
「フルオロアルコキシ基」とは、少なくとも１つの水素原子がフッ素原子で置換されたアルコキシ基を意味し、「パーフルオロアルコキシ基」を包含する。具体的には、「フルオロアルコキシ基」は、アルコキシ基の全ての水素原子がフッ素原子で置換された基、アルコキシ基の末端の１個の水素原子以外の全ての水素原子がフッ素原子で置換された基等を包含する。
【００４１】
「フルオロポリエーテル基」とは、繰り返し単位として複数のアルキレンオキシド鎖を有し、末端にアルキル基又は水素原子を有する１価の基であって、アルキレンオキシド鎖及び／又は末端のアルキル基若しくは水素原子中の少なくとも１つの水素原子がフッ素原子で置換された基を有する１価の基を意味する。「フルオロポリエーテル基」は、繰り返し単位として複数のパーフルオロアルキレンオキシド鎖を有する「パーフルオロポリエーテル基」を包含する。
【００４２】
フッ素樹脂としては、テトラフルオロエチレン・ヘキサオロプロピレン共重合体（ＦＥＰ）、テトラフルオロエチレン・パーフルオロアルキルビニルエーテル共重合体（ＰＦＡ）、ポリテトラフルオロエチレン（ＰＴＦＥ）、ポリフッ化ビニリデン（ＰＶｄＦ）、フルオロエラストマー、テトラフルオロエチレン・ヘキサフルオロプロピレン・ビニリデンフルオライド共重合体（ＴＨＶ）、及びテトラフルオロエチレン−パーフルオロジオキソール共重合体（ＴＦＥ／ＰＤＤ）が好ましい。
【００４３】
上記絶縁フィルム（ベースフィルム）２ａの平均厚さの下限としては、５μｍが好ましく、１２μｍがより好ましい。一方、絶縁フィルム（ベースフィルム）２ａの平均厚さの上限としては、５０μｍが好ましく、２５μｍがより好ましい。絶縁フィルム（ベースフィルム）２ａの平均厚さが上記下限未満の場合、絶縁フィルム（ベースフィルム２ａ）の強度が不十分となるおそれがある。逆に、絶縁フィルム（ベースフィルム）２ａの平均厚さが上記上限を超える場合、フレキシブルプリント配線板２のフレキシブル性を損なうおそれがある。
【００４４】
絶縁フィルム（ベースフィルム）２ａは、複数のランド部２ｂの投影領域を少なくとも覆う第１領域Ａに空隙（除去部分）を有し、この空隙に後述する熱伝導性接着剤５が充填されている。この第１領域Ａは、複数のランド部２ｂを包含する連続した領域であり、発光ダイオード３の投影領域と重複している。
【００４５】
図１では、第１領域Ａは複数のランド部２ｂの投影領域の全体を覆っている。つまり、複数のランド部２ｂの投影領域が全て第１領域Ａに含まれている。ただし、放熱促進効果を奏する範囲であれば、ランド部２ｂの投影領域の一部が第１領域Ａに含まれていなくてもよい。１のランド部２ｂの投影領域において、１のランド部２ｂの投影領域全体に対する第１領域Ａに覆われる領域の面積割合の下限としては、８０％が好ましく、９０％がより好ましく、９５％がさらに好ましい。上記面積割合が上記下限未満の場合、当該放熱性回路基板１の放熱効果が不十分となるおそれがある。
【００４６】
上記第１領域Ａの占有面積の上限としては、発光ダイオード３の投影面積の２倍が好ましく、１．８倍がより好ましく、１．５倍がさらに好ましい。第１領域Ａの占有面積が上記上限を超える場合、絶縁フィルム（ベースフィルム）２ａの除去領域が大きくなり、当該放熱性回路基板１を屈曲面等に積層した場合の絶縁信頼性の低減防止効果が不十分となるおそれがある。
【００４７】
（導電パターン）
導電パターン２ｃは、複数のランド部２ｂ及びそれらに接続される配線を有しており、絶縁フィルム（ベースフィルム）２ａの表面に積層された金属層をエッチングすることによって所望の平面形状（パターン）に形成されている。ランド部２ｂは、発光ダイオード３の端子が接続される部位であり、配線部は、これらの複数のランド部２ｂを接続するように形成されている。
【００４８】
上記導電パターン２ｃは、導電性を有する材料で形成可能である。上記導電パターン２ｃは、一般的には例えば銅によって形成される。
【００４９】
上記導電パターン２ｃの平均厚さの下限としては、５μｍが好ましく、８μｍがより好ましい。一方、導電パターン２ｃの平均厚さの上限としては、５０μｍが好ましく、３５μｍがより好ましい。導電パターン２ｃの平均厚さが上記下限未満の場合、導通性が不十分となるおそれがある。逆に、導電パターン２ｃの平均厚さが上記上限を超える場合、フレキシブルプリント配線板２のフレキシブル性を損なうおそれがある。
【００５０】
（カバーレイ）
フレキシブルプリント配線板２の表面の発光ダイオード３が実装される部分（ランド部２ｂの表面側）を除いた部分には、カバーレイ２ｄが積層される。このカバーレイ２ｄは絶縁機能及び接着機能を有し、絶縁フィルム（ベースフィルム）２ａ及び導電パターン２ｃの表面に接着される。カバーレイ２ｄが絶縁層と接着層とを有する場合、絶縁層としては、絶縁フィルム（ベースフィルム）２ａと同じ材質を用いることができる。絶縁層の平均厚さは絶縁フィルム（ベースフィルム）２ａと同様とすることができる。また、カバーレイ２ｄの接着層を構成する接着剤としては、例えばエポキシ系接着剤等が好適に用いられる。接着層の平均厚さは、特に限定されるものではないが、１２．５μｍ以上６０μｍ以下が好ましい。
【００５１】
上記カバーレイ２ｄは、白色に着色されることが好ましい。カバーレイ２ｄを白色とすることで、発光ダイオード３のフレキシブルプリント配線板２側への出射光を反射し、光線の利用効率を高める光反射機能をフレキシブルプリント配線板２の表面に付与することができる。また、カバーレイ２ｄを白色とすることで、当該放熱性回路基板１の意匠性を高めることができる。カバーレイ２ｄを白色に着色する方法としては、例えば白色顔料を添加する方法を用いることができる。この白色顔料としては、酸化チタン、硫酸バリウム、酸化アルミニウム、炭酸カルシウム、酸化亜鉛、酸化ケイ素等が挙げられる。
【００５２】
なお、カバーレイ２ｄを白色とする代わりに、図２に示すように、カバーレイ２ｄの表面側に白色のコート層１２を積層してもよい。このコート層１２としては、白色顔料を含有した樹脂を用いることができる。また、カバーレイ２ｄ又はコート層１２は、白色の代わりに銀色等に着色してもよい。
【００５３】
上述のようにフレキシブルプリント配線板２の表面が光反射機能を有する場合、その表面の光線反射率の下限としては７５％が好ましく、８０％がより好ましい。なお、光線反射率とは、波長５５０ｎｍの光線を用いてＪＩＳ−Ｋ７３７５（２００８）に準拠して測定される光線反射率を意味する。
【００５４】
＜発光ダイオード＞
発光ダイオード３は、フレキシブルプリント配線板２のランド部２ｂに実装される。この発光ダイオード３としては、多色発光タイプ又は単色発光タイプで、チップ型又は合成樹脂等でパッケージされた表面実装型の発光ダイオードを用いることができる。発光ダイオード３は、半田６によってランド部２ｂへ接続されている。ただし、発光ダイオード３のランド部２ｂへの接続方法は半田付けに限定されず、例えば導電性ペーストを用いたダイボンディング、金属線を用いたワイヤボンディング等も用いることができる。
【００５５】
＜接着剤層＞
接着剤層４は、絶縁フィルム（ベースフィルム）２ａを金属板等の支持部材に接着可能な接着剤を主成分とする層である。この接着剤としては特に限定されず、例えばエポキシ系接着剤、シリコーン系接着剤、アクリル系接着剤等の熱硬化性接着剤を用いることができる。接着剤層４には、必要に応じて添加剤を含有させることができる。ただし、当該放熱性回路基板１は、後述する熱伝導性接着剤５を備えるため、接着剤層４に熱伝導性を付与する必要はない。
【００５６】
上記接着剤層４の平均厚さの下限としては、５μｍが好ましく、１０μｍがより好ましい。一方、接着剤層４の平均厚さの上限としては、５０μｍが好ましく、２５μｍがより好ましい。接着剤層４の平均厚さが上記下限未満の場合、当該放熱性回路基板１と金属板等の支持部材との接着強度が不十分となるおそれがある。逆に、接着剤層４の平均厚さが上記上限を超える場合、当該放熱性回路基板１が不必要に厚くなるおそれや、導電パターン２ｃと金属板等の支持部材との距離が大きくなって放熱性が不十分となるおそれがある。
【００５７】
接着剤層４は、上記第１領域Ａ（複数のランド部２ｂの投影領域を少なくとも覆う領域）及びこの第１領域Ａを覆う第２領域Ｂに空隙（除去部分）を有し、この空隙に後述する熱伝導性接着剤５が充填されている。この第２領域Ｂは、第１領域Ａと同様に複数のランド部２ｂを包含する連続した領域であり、発光ダイオード３の投影領域と重複しており、第１領域Ａよりも占有面積が大きい。このように接着剤層４を第１領域Ａよりも大きい第２領域Ｂで除去することで、後述する熱伝導性接着剤５の充填作業を容易化することができる。また、接着剤層４を第２領域Ｂを除去してから第１領域Ａを除去した絶縁フィルム（ベースフィルム）２ａに積層する場合、これらの領域の位置合わせが容易となる。
【００５８】
上記第２領域Ｂの境界と第１領域Ａの境界との最小距離ｄの下限としては、１μｍが好ましく、１０μｍがより好ましく、２０μｍがさらに好ましく、５０μｍが特に好ましい。一方、上記第２領域Ｂの境界と第１領域Ａの境界との最小距離ｄの上限としては、５００μｍが好ましく、３００μｍがより好ましく、１００μｍがさらに好ましい。上記最小距離ｄが上記下限未満の場合、熱伝導性接着剤５の充填作業の容易化が不十分となるおそれがある。逆に、上記最小距離ｄが上記上限を超える場合、熱伝導性接着剤５の充填量が増加し、当該放熱性回路基板１のコストが不必要に大きくなる。
【００５９】
＜熱伝導性接着剤＞
熱伝導性接着剤５は、上述した第１領域Ａにおける絶縁フィルム（ベースフィルム）２ａの除去部分及び第２領域Ｂにおける接着剤層４の除去部分に充填され、複数のランド部２ｂを含む導電パターン２ｃの裏面に当接している。
【００６０】
熱伝導性接着剤５は、熱硬化性樹脂と熱伝導性フィラーとを含有する。この熱硬化性樹脂としては、例えばエポキシ、フェノール樹脂、ポリイミド等を挙げることができる。これらの中でも、熱伝導性フィラーの接合力に優れるエポキシが好ましい。また、エポキシの中でも、熱伝導性フィラーの混合性の観点から、流動性に優れるビスフェノールＡ型エポキシ又はビスフェノールＦ型エポキシがより好ましい。
【００６１】
上記熱伝導性フィラーとしては、例えば金属酸化物、金属窒化物等を挙げることができる。上記金属酸化物としては、酸化アルミニウム、酸化ケイ素、酸化ベリリウム、酸化マグネシウム等を用いることができる。これらの中でも、電気絶縁性、熱伝導性、価格等の観点から酸化アルミニウムが好ましい。また、上記金属窒化物としては、窒化アルミニウム、窒化ケイ素、窒化ホウ素等を用いることができる。これらの中でも、電気絶縁性、熱伝導性、低誘電率の観点から窒化ホウ素が好ましい。なお、上記金属酸化物及び金属窒化物は、２種以上を混合して用いることができる。
【００６２】
熱伝導性接着剤５における熱伝導性フィラーの含有量の下限としては、４０体積％が好ましく、４５体積％がより好ましい。一方、熱伝導性フィラーの含有量の上限としては、８５体積％が好ましく、８０体積％がより好ましい。熱伝導性フィラーの含有量が上記下限未満の場合、熱伝導性接着剤５の熱伝導性が不十分となるおそれがある。逆に、熱伝導性フィラーの含有量が上記上限を超える場合、上記熱硬化性樹脂と熱伝導性フィラーとの混合時に気泡が入り易くなり、耐電圧性が低下するおそれがある。なお、熱伝導性接着剤５は、熱伝導性フィラー以外に硬化剤等の添加剤を含有してもよい。
【００６３】
熱伝導性接着剤５の熱伝導率の下限としては、１Ｗ／ｍＫが好ましく、３Ｗ／ｍＫがより好ましい。一方、熱伝導性接着剤５の熱伝導率の上限としては、２０Ｗ／ｍＫが好ましい。熱伝導性接着剤５の熱伝導率が上記下限未満の場合、当該放熱性回路基板１の放熱効果が不十分となるおそれがある。逆に、熱伝導性接着剤５の熱伝導率が上記上限を超える場合、熱伝導性フィラーの含有量が過多となり、上記熱硬化性樹脂と熱伝導性フィラーとの混合時に気泡が入り易くなって耐電圧性が低下するおそれや、コストが過大となるおそれがある。
【００６４】
熱伝導性接着剤５は高絶縁性であることが好ましい。具体的には、熱伝導性接着剤５の体積抵抗率の下限としては、１×１０８Ωｃｍが好ましく、１×１０１０Ωｃｍがより好ましい。熱伝導性接着剤５の体積抵抗率が上記下限未満の場合、熱伝導性接着剤５の絶縁性が低下し、導電パターン２ｃが絶縁フィルム（ベースフィルム）２ａの裏面側に積層される金属板等の支持部材と導通してしまうおそれがある。なお、体積抵抗率とは、ＪＩＳ−Ｃ２１３９（２００８）に準拠して測定される値である。
【００６５】
熱伝導性接着剤５の平均厚さ（熱伝導性接着剤５の裏面から導電パターン２ｃの裏面までの平均距離）は、絶縁フィルム（ベースフィルム）２ａの平均厚さと接着剤層４の平均厚さとの合計よりも大きいことが好ましい。具体的には、熱伝導性接着剤５の平均厚さの下限としては、１０μｍが好ましく、２０μｍがより好ましい。一方、熱伝導性接着剤５の平均厚さの上限としては、１００μｍが好ましく、５０μｍがより好ましい。熱伝導性接着剤５の平均厚さが上記下限未満の場合、熱伝導性接着剤５が絶縁フィルム（ベースフィルム）２ａの裏面側に配置（積層）される支持部材（金属板等）と接触せず、放熱効果が不十分となるおそれがある。逆に、熱伝導性接着剤５の平均厚さが上記上限を超える場合、熱伝導性接着剤５の充填量が増加しコストが大きくなるおそれや、当該放熱性回路基板１が不要に厚くなるおそれがある。
【００６６】
＜利点＞
当該放熱性回路基板１は、発光ダイオード３が実装されるランド部２ｂの投影領域を少なくとも覆う第１領域Ａで絶縁フィルム（ベースフィルム）２ａ及び接着剤層４が除去され、その除去部分に熱伝導性接着剤５が充填されているため、フレキシブルプリント配線板２の導電パターン２ｃに熱伝導性接着剤５が直接積層される。そのため、当該放熱性回路基板１は、金属板等の支持部材に接着剤層４及び熱伝導性接着剤５を介して積層された際に、導電パターン２ｃと金属板等の支持部材とが熱伝導性接着剤５のみを介して接続されるため、導電パターン２ｃと導通される発光ダイオード３の放熱効果を著しく促進することができる。
【００６７】
また、接着剤層４が上記第１領域Ａを覆う第２領域Ｂでさらに除去されているため、当該放熱性回路基板１は、熱伝導性接着剤５の充填作業及び絶縁フィルム（ベースフィルム）２ａの除去領域と接着剤層４の除去領域との位置合わせ作業を容易にすることができる。
【００６８】
また、当該放熱性回路基板１は、フレキシブルプリント配線板２を有するため、湾曲面等を有する金属板等の支持部材に容易に積層することができる。
【００６９】
なお、当該放熱性回路基板１は、接着剤層４の裏面に離型フィルムを有していてもよい。この離型フィルムは、樹脂フィルムの表面に離型処理を施したものを用いることができる。この離型フィルムは、金属板等の支持部材に当該放熱性回路基板１を接着する際に剥離される。
【００７０】
［第二実施形態］
図３に示す放熱性回路基板１１は、裏面に配設される絶縁フィルム（ベースフィルム）２ａ及び表面に配設される複数のランド部２ｂを含む導電パターン２ｃを有するフレキシブルプリント配線板２と、上記複数のランド部２ｂに実装される発光ダイオード３と、上記絶縁フィルム（ベースフィルム）２ａの裏面に積層される接着剤層４と、この接着剤層４の裏面に配置（積層）される支持部材（金属板）７とを主に備える。また、上記発光ダイオード３の複数のランド部２ｂの投影領域を少なくとも覆う第１領域Ａで上記絶縁フィルム（ベースフィルム）２ａ及び接着剤層４が除去されており、上記絶縁フィルム（ベースフィルム）２ａ及び接着剤層４の除去部分に熱伝導性接着剤５が充填されている。フレキシブルプリント配線板２、発光ダイオード３、接着剤層４及び熱伝導性接着剤５は、上記第一実施形態の放熱性回路基板１と同様であるため、同一符号を付して説明を省略する。
【００７１】
＜支持部材（金属板）＞
支持部材は金属板であるとよい。支持部材（金属板）７は、金属製の板状部材である。この支持部材（金属板）７を形成する金属としては、例えばアルミニウム、マグネシウム、銅、鉄、ニッケル、モリブデン、タングステン等を用いることができる。これらの中でも伝熱性、加工性及び軽量性に優れるアルミニウムが特に好ましい。
【００７２】
支持部材（金属板）７の平均厚さの下限としては、０．３ｍｍが好ましく、０．５ｍｍがより好ましい。一方、支持部材（金属板）７の平均厚さの上限としては、５ｍｍが好ましく、３ｍｍがより好ましい。支持部材（金属板）７の平均厚さが上記下限未満の場合、支持部材（金属板）７の強度が不十分となるおそれがある。逆に、支持部材（金属板）７の平均厚さが上記上限を超える場合、支持部材（金属板）７の加工が困難になるおそれがあるほか、当該放熱性回路基板１１の重量や体積が不必要に大きくなるおそれがある。
【００７３】
〔放熱性回路基板の製造方法〕
当該放熱性回路基板１１は、例えば図４に示すように、フレキシブルプリント配線板２の複数のランド部２ｂに発光ダイオード３を実装する工程と、発光ダイオード３の複数のランド部２ｂの投影領域を少なくとも覆う第１領域Ａで絶縁フィルム（ベースフィルム）２ａを除去する工程と、この絶縁フィルム（ベースフィルム）２ａの裏面に上記第１領域Ａを覆う第２領域Ｂの相当部分を除去した接着剤層４を積層する工程と、上記絶縁フィルム（ベースフィルム）２ａ及び接着剤層４の除去部分に熱伝導性接着剤５を充填する工程と、上記除去部分に熱伝導性接着剤５を充填した接着剤層４の裏面に支持部材（金属板）７を配置（積層）する工程とを備える製造方法によって製造することができる。
【００７４】
（発光ダイオード実装工程）
発光ダイオード実装工程では、図４Ａに示すようにフレキシブルプリント配線板２の複数のランド部２ｂに発光ダイオード３の複数の端子を接続し、発光ダイオード３をフレキシブルプリント配線板２に実装する。発光ダイオード３のランド部２ｂへの接続方法は、例えば半田リフロー、導電性ペーストを用いたダイボンディング、金属線を用いたワイヤボンディング等を用いることができる。なお、図４Ａでは半田６で発光ダイオード３を実装した例を示している。
【００７５】
（絶縁フィルム（ベースフィルム）除去工程）
絶縁フィルム（ベースフィルム）除去工程では、図４Ｂに示すように発光ダイオード３の複数のランド部２ｂの投影領域を少なくとも覆う第１領域Ａで絶縁フィルム（ベースフィルム）２ａを除去する。絶縁フィルム（ベースフィルム）２ａの除去方法としては、例えば第１領域Ａ以外をマスクした上でエッチング液に浸漬する方法、第１領域Ａ以外をマスクした上でプラズマエッチングする方法、第１領域Ａにレーザーを照射する方法等を用いることができる。また、ここでは発光ダイオード実装工程の後に絶縁フィルム（ベースフィルム）除去工程を行っているが、発光ダイオード実装工程の前に絶縁フィルム（ベースフィルム）除去工程を行うこともできる。
【００７６】
（接着剤層積層工程）
接着剤層積層工程では、図４Ｃに示すように上記第１領域Ａを覆う第２領域Ｂの相当部分を除去した接着剤層４を絶縁フィルム（ベースフィルム）２ａに積層する。この工程は、例えば以下の手順で実施できる。まず、離型フィルム、この離型フィルムの表面に塗工により積層されたＢステージ状態（半硬化状態）の接着剤、及びこの接着剤の表面に積層された別の離型フィルムを有する接着剤シートを用意する。次に、この接着剤シートの第２領域Ｂに相当する部分を離型フィルムごと打抜き加工等で除去する。その後、上記接着剤シートの一方の離型フィルムを剥がし、接着剤シートの除去部分（第２領域Ｂ相当部分）が絶縁フィルム（ベースフィルム）２ａの除去領域を覆うように、接着剤シートの接着剤表出面を絶縁フィルム（ベースフィルム）２ａの裏面に向けて積層（仮貼り）する。なお、接着剤シートを絶縁フィルム（ベースフィルム）２ａに積層後、第２領域Ｂ相当部分を除去してもよいが、打抜き加工が利用できないため、上述した方法を用いた方が作業性がよい。
【００７７】
（熱伝導性接着剤充填工程）
熱伝導性接着剤充填工程では、図４Ｄに示すように上記絶縁フィルム（ベースフィルム）２ａ及び接着剤層４の除去部分に熱伝導性接着剤５を充填する。熱伝導性接着剤５の充填方法としては、例えばスクリーン印刷によって熱伝導性接着剤５を印刷する方法、ディスペンサで熱伝導性接着剤５を吐出する方法、熱伝導性接着剤５を離型フィルムに積層した接着シートを貼付する方法等を用いることができる。なお、接着剤層積層工程と熱伝導性接着剤充填工程とは順序を入れ替えて行ってもよい。
【００７８】
（支持部材（金属板）配置工程）
支持部材（金属板）配置工程では、接着剤層４を裏面に積層し、上記絶縁フィルム（ベースフィルム）２ａ及び接着剤層４の除去部分に熱伝導性接着剤５を充填したフレキシブルプリント配線板２の裏面側に支持部材（金属板）７を配置（積層）する。具体的には、上記接着剤シートの裏面側（フレキシブルプリント配線板２と反対側）の離型フィルムを剥がし、支持部材（金属板）７に積層（仮貼り）して積層体を得る。その後、例えば真空容器中でこの積層体を比較的低温で加圧し、仮圧着する。仮圧着後、上記積層体を高温で加熱することで各接着剤が硬化し、当該放熱性回路基板１１が得られる。
なお、この工程を「支持部材（金属板）配置工程」と呼んだが、「支持部材（金属板）積層工程」と呼んでもよい。
【００７９】
上記積層体の仮圧着時の圧力としては、例えば０．０５ＭＰａ以上１ＭＰａ以下とすることができる。また、この仮圧着時の温度としては、例えば７０℃以上１２０℃以下が好ましい。さらに、仮圧着時の熱伝導性接着剤５の粘度の下限としては、１００Ｐａ・ｓが好ましく、５００Ｐａ・ｓがより好ましい。一方、仮圧着時の熱伝導性接着剤５の粘度の上限としては、１００００Ｐａ・ｓが好ましく、５０００Ｐａ・ｓがより好ましい。仮圧着時の熱伝導性接着剤５の粘度が上記下限未満の場合、熱伝導性接着剤５を硬化させる前に熱伝導性接着剤５が流動して熱伝導性接着剤５の充填性が低下するおそれがある。逆に、仮圧着時の熱伝導性接着剤５の粘度が上記上限を超える場合、熱伝導性接着剤５の上記絶縁フィルム（ベースフィルム）２ａ及び接着剤層４の除去部分への充填が不十分となるおそれがある。
【００８０】
上記積層体の高温加熱時の温度としては、例えば１２０℃以上２００℃以下とすることができる。また、高温加熱の時間としては、例えば３０分以上３００分以下とすることができ、３０分以上１２０分以下とすることがより好ましい。
【００８１】
＜利点＞
当該放熱性回路基板１１は、導電パターン２ｃと支持部材（金属板）７とが熱伝導性接着剤５のみを介して接続されるため、導電パターン２ｃと導通される発光ダイオード３の放熱効果を著しく促進することができる。
【００８２】
［第三実施形態］
図５に示す放熱性回路基板２１は、裏面に配設される絶縁フィルム（ベースフィルム）２ａ及び表面に配設される複数のランド部２ｂを含む導電パターン２ｃを有するフレキシブルプリント配線板２と、上記複数のランド部２ｂに実装される発光ダイオード３と、上記絶縁フィルム（ベースフィルム）２ａの裏面に積層される接着剤層４と、この接着剤層４の裏面に積層される支持部材（金属板）７とを主に備える。また、上記発光ダイオード３の複数のランド部２ｂの投影領域を少なくとも覆う第１領域Ａで上記絶縁フィルム２及び接着剤層４が除去されており、上記絶縁フィルム（ベースフィルム）２ａ及び接着剤層４の除去部分に熱伝導性接着剤５が充填されている。さらに、フレキシブルプリント配線板２が第１領域Ａに貫通孔８を有し、この貫通孔８の少なくとも裏面側にも上記熱伝導性接着剤５が充填されている。フレキシブルプリント配線板２、発光ダイオード３、接着剤層４、熱伝導性接着剤５及び支持部材（金属板）７は、上記第二実施形態の放熱性回路基板１１と同様であるため、同一符号を付して説明を省略する。
【００８３】
（貫通孔）
貫通孔８は、第１領域Ａ内に形成され、フレキシブルプリント配線板２の導電パターン２ｃのランド部２ｂを除く領域及びカバーレイ２ｄを貫通している。この貫通孔８の少なくとも裏面側に上記熱伝導性接着剤５が充填される。また、図５に示すように貫通孔８及びその上部にも熱伝導性接着剤５が充填され、発光ダイオード３の裏面に当接しているとよい。このように発光ダイオード３の裏面に熱伝導性接着剤５を当接させることで、発光ダイオード３の放熱効果をさらに促進することができる。
【００８４】
また、図５では貫通孔８は１つのみ形成されているが、複数の貫通孔８を１つの第１領域Ａ内に形成してもよい。
【００８５】
貫通孔８の平均面積の下限としては、０．００５ｍｍ２が好ましく、０．０１ｍｍ２がより好ましい。一方、貫通孔８の平均面積の上限としては、１ｍｍ２が好ましく、０．５ｍｍ２がより好ましい。貫通孔８の平均面積が上記下限未満の場合、熱伝導性接着剤５の漏出防止効果や、放熱効果の促進が不十分となるおそれがある。逆に、貫通孔８の平均面積が上記上限を超える場合、フレキシブルプリント配線板２の強度が低下するおそれがある。
【００８６】
貫通孔８は、第１領域Ａにおいて絶縁フィルム（ベースフィルム）２ａを除去する前又は後、あるいは除去と同時に形成することができる。貫通孔８の形成方法としては、絶縁フィルム（ベースフィルム）２ａの除去方法と同様の方法を用いることができる。
【００８７】
＜利点＞
当該放熱性回路基板２１は、上記貫通孔８を有するため、熱伝導性接着剤５の充填時に熱伝導性接着剤５が第１領域Ａ以外に漏出することを防止することができる。また、熱伝導性接着剤５を貫通孔８及びその上部にも充填し、発光ダイオード３の裏面に当接させることで、発光ダイオード３の放熱効果をさらに促進できる。
【００８８】
［第四実施形態］
図６に示す放熱性回路基板３１は、裏面に配設される絶縁フィルム（ベースフィルム）２ａ及び表面に配設される複数のランド部２ｂを含む導電パターン２ｃを有するフレキシブルプリント配線板２と、上記複数のランド部２ｂに実装される複数の発光ダイオード３と、上記絶縁フィルム（ベースフィルム）２ａの裏面に積層される接着剤層４と、この接着剤層４の裏面に配置（積層）される支持部材（金属板）３７とを主に備える。また、上記複数の発光ダイオード３毎の複数のランド部２ｂの投影領域を少なくとも覆う複数の第１領域Ａで上記絶縁フィルム（ベースフィルム）２ａ及び接着剤層４が除去されており、上記絶縁フィルム（ベースフィルム）２ａ及び接着剤層４の除去部分に熱伝導性接着剤５が充填されている。フレキシブルプリント配線板２に複数の発光ダイオード３が実装され、複数の第１領域Ａが形成されている点以外は、フレキシブルプリント配線板２、発光ダイオード３、接着剤層４及び熱伝導性接着剤５は、上記第一実施形態の放熱性回路基板１と同様であるため、同一符号を付して説明を省略する。
【００８９】
＜支持部材（金属板）＞
支持部材（金属板）３７は、金属製の板状部材であり、フレキシブルプリント配線板２の積層領域に湾曲面又は屈曲面を有する。具体的には、支持部材（金属板）３７は、フレキシブルプリント配線板２の積層面側が凸となるように湾曲又は屈曲している。そのため、フレキシブルプリント配線板２はこの支持部材（金属板）３７の表面に沿って湾曲又は屈曲している。支持部材（金属板）３７がこのように湾曲又は屈曲していることで、フレキシブルプリント配線板２に実装された複数の発光ダイオード３の出射方向を異ならせることができ、例えば当該放熱性回路基板３１を用いたＬＥＤ照明器具の相対位置による光度の変動を低減することができる。
【００９０】
上記支持部材（金属板）３７の材質及び平均厚さは、上記第二実施形態の放熱性回路基板１１の支持部材（金属板）７と同様とすることができる。
【００９１】
なお、発光ダイオード３は、接続信頼性の観点から支持部材（金属板）３７及びフレキシブルプリント配線板２の湾曲面及び屈曲面以外に実装することが好ましい。また、図６では３個の発光ダイオード３が図示されているが、当該放熱性回路基板３１の発光ダイオード３の実装数は３個に限定されず、２個又は４個以上であってもよい。
【００９２】
＜利点＞
当該放熱性回路基板３１は、上記第１領域Ａ以外の領域においてフレキシブルプリント配線板２が絶縁フィルム（ベースフィルム）２ａを介して支持部材（金属板）３７に配置（積層）されるため、湾曲面又は屈曲面を有する支持部材（金属板）３７に沿って湾曲等させても絶縁性が低下し難い。従って、当該放熱性回路基板３１は、絶縁信頼性を維持できるため、種々の形状の支持部材（金属板）３７を採用することができる。
【００９３】
［第五実施形態］
本発明の一態様に係る放熱性回路基板では、少なくとも２つの隣接する電子部品毎の絶縁フィルム及び接着剤層の除去部分が連続しているとよい。つまり、少なくとも２つの隣接する電子部品毎の絶縁フィルム及び接着剤層の除去部分に充填される熱伝導性接着剤が連続しているとよい。また、電子部品が３つ以上の場合、すべての絶縁フィルム及び接着剤層の除去部分が連続していてもよいし、任意の隣接する電子部品毎の絶縁フィルム及び接着剤層の除去部分が連続していてもよい。
【００９４】
図７に示す放熱性回路基板４１は、裏面に配設される絶縁フィルム（ベースフィルム）２ａ及び表面に配設される複数のランド部２ｂを含む導電パターン２ｃを有するフレキシブルプリント配線板２と、上記複数のランド部２ｂに隣接して実装される複数の発光ダイオード３と、上記絶縁フィルム（ベースフィルム）２ａの裏面に積層される接着剤層４と、この接着剤層４の裏面に配置（積層）される支持部材（金属板）７とを備える。また、上記複数の発光ダイオード３毎の複数のランド部２ｂの投影領域を少なくとも覆う複数の第１領域Ａで上記絶縁フィルム（ベースフィルム）２ａ及び接着剤層４が除去されており、上記絶縁フィルム（ベースフィルム）２ａ及び接着剤層４の除去部分に熱伝導性接着剤５が充填されている。さらに、隣接する発光ダイオード３毎の絶縁フィルム（ベースフィルム）２ａ及び接着剤層４の除去部分は連続している。
【００９５】
フレキシブルプリント配線板２に複数の発光ダイオード３が隣接して実装されている点、複数の第１領域Ａが形成されている点、及び絶縁フィルム（ベースフィルム）２ａ及び接着剤層４の除去部分は連続しており、熱伝導性接着剤５は連続している点以外は、フレキシブルプリント配線板２、発光ダイオード３、接着剤層４、熱伝導性接着剤５、支持部材（金属板）７は上記第三実施形態の放熱性回路基板１と同様であるため、同一符号を付して説明を省略する。
【００９６】
＜利点＞
放熱性回路基板４１は、上記絶縁フィルム（ベースフィルム）２ａ及び接着剤層４の除去部分が連続しているので、熱伝導接着剤５の充填回数を減らすことができ、したがって、放熱性回路基板４１の製造工程は簡易なものとなる。また、多数の発光ダイオード３が密集して配置される場合でも、熱伝導接着剤５によって放熱性回路基板４１の放熱効果は優れている。さらに、放熱性回路基板４１では熱伝導接着剤５が比較的多くなるが、熱伝導接着剤５の周囲には接着剤層４が存在するので、熱伝導接着剤５の厚さを大きくしなくとも、絶縁性は良好である。
【００９７】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００９８】
上記第一実施形態、第二実施形態及び第三実施形態では、実装する発光ダイオードの数を１個としたが、２個以上の発光ダイオードを実装することができる。また、上記第四実施形態で１個の発光ダイオードを実装してもよい。
【００９９】
また、上記各実施形態では発光ダイオードをプリント配線板に実装したが、発光ダイオード以外の電子部品をプリント配線板に実装してもよい。また、１個の電子部品が実装されるランド部の数は複数に限定されず、１つであってもよい。
【０１００】
さらに、上記各実施形態では第１領域を覆う第２領域で接着剤層を除去し、この除去部分に熱伝導性接着剤を充填したが、接着剤層を絶縁フィルム（ベースフィルム）と同様の第１領域のみで除去し、この除去部分に熱伝導性接着剤を充填してもよい。つまり、第１領域と第２領域を同一の領域（面積）としてもよい。
【０１０１】
また、上記各実施形態では第１領域を電子部品毎のランド部の投影領域を全て包含する１つの領域としたが、第１領域は複数のランド部の投影領域に分割されていてもよい。加えて、第１領域は電子部品の投影領域と重複しない領域を含んでもよい。
【０１０２】
上記各実施形態では支持部材として金属板を使用したが、支持部材の材質は金属に限定されるものではない。例えば、支持部材の材質をセラミックスとすることができる。支持部材に使用するセラミックスは、絶縁性が良好で（つまり電気伝導度が低く）、熱伝導度が大きいものが好ましい。支持部材に使用するセラミックスとしては、窒化アルミニウム（ＡｌＮ）、酸化アルミニウム（Ａｌ２Ｏ３）、窒化ケイ素（Ａｌ３Ｎ４）などが挙げられる。支持部材の材質を絶縁性が良好で熱伝導度の高いセラミックスとすることによって、放熱性回路基板と放熱性回路基板が設置される基材との間の電気短絡の可能性はほぼゼロとなる。したがって、熱伝導性接着剤の厚さを極めて小さくすることができるので、放熱性回路基板の放熱性を高めることができる。また、支持部材にセラミックスを使用することにより、放熱性回路基板の耐電圧性も向上する。
【０１０３】
上記各実施形態では支持部材として板状部材を使用したが、支持部材の形状はこれに限定されるものではない。例えば、支持部材は曲面や角部を有するバルクであってもよい。また、支持部材の形状は、角柱状、錐体状、台形柱状などの形状であってもよいし、これらの角部を面取りした形状やこれらの角部に丸みを付けた形状であってもよい。支持部材をこのような形状とすることにより、熱が伝わる経路が増えるので、発光ダイオードなどの電子部品が高温になることを効果的に抑制することができる。また、支持部材の材質が可撓性の乏しい材料（例えばセラミックス）であっても、支持部材を湾曲又は屈曲させる加工の必要がないので立体的な放熱性回路基板を容易に製造することができる。また、支持部材の軽量化のために、支持部材はその内部に空洞部を含んでいてもよい。
図８の放熱性回路基板５１は、第四実施形態の放熱性回路基板３１と同様であるが、支持部材４７の断面形状が台形状である点で第四実施形態の放熱性回路基板３１とは異なる。支持部材４７がこのような形状であれば、支持部材４７を湾曲又は屈曲させる加工の必要がないので、放熱性回路基板５１の製造工程は簡易になる。
【０１０４】
また、上記第三実施形態において、絶縁フィルム（ベースフィルム）除去工程を先に行い、次に発光ダイオード実装工程を行う場合、絶縁フィルム（ベースフィルム）除去工程を以下に説明する工程とすることができる。
まず、発光ダイオード３が実装されたときに、複数のランド部２ｂの投影領域となる領域を少なくとも覆う第１領域Ａが予め除去されている絶縁フィルム（ベースフィルム）２ａを準備する。次に、この絶縁フィルム（ベースフィルム）２ａの上に、銅などの導電性を有する材料の基材を積層する。その後、その基材をパターニングして、導電パターン２ｃを形成する。さらに、フレキシブルプリント配線板２の表面の発光ダイオード３が実装される部分（ランド部２ｂの表面側）を除いた部分に、カバーレイ２ｄを積層する。
このように、第三実施形態の絶縁フィルム（ベースフィルム）除去工程によって作製されるフレキシブルプリント配線板と同様なフレキシブルプリント配線板を、この工程によっても作製することができる。
【０１０５】
さらに、本発明の実施形態で用いるプリント配線板は、可撓性を有するフレキシブルプリント配線板に限定されず、リジッドのプリント配線板を用いてもよい。さらに、本発明の実施形態で用いるプリント配線板は、表面にランド部を有し、裏面に絶縁フィルム（ベースフィルム）を有するものであれば上記実施形態で使用したものに限定されない。上記プリント配線板は、例えば絶縁フィルムの両面に導電パターンが形成された両面プリント配線板や、導電パターンを有する複数の絶縁フィルムが積層された多層プリント配線板であってもよい。このような両面プリント配線板や多層プリント配線板の場合、最も裏面側（電子部品の実装面と反対側）の導電パターンに熱伝導性接着剤を当接させることで、放熱効果を促進することができる。
【実施例】
【０１０６】
以下、実施例によって本発明をさらに具体的に説明するが、本発明は以下の実施例に限定されるものではない。【０１０７】
［Ｎｏ．１］
まず、ポリイミドを主成分とする平均厚さ２５μｍの絶縁フィルム（ベースフィルム）と、銅箔製の平均厚さ３５μｍの導電パターンと、ポリイミドを主成分とする平均厚さ２５μｍの絶縁層及び平均厚さ３０μｍの接着層を有するカバーレイとを裏面側からこの順に積層したフレキシブルプリント配線板を用意する。なお、このフレキシブルプリント配線板は表面（カバーレイの表面）に白色コートを有する。また、このフレキシブルプリント配線板は導電パターンにＬＥＤ（発光ダイオード）が実装可能なランド部を有し、このランド部に沿ってカバーレイに開口が設けられている。【０１０８】
次に、上記フレキシブルプリント配線板のＬＥＤ実装予定領域の投影領域（ＬＥＤの平面積と等面積）において絶縁フィルム（ベースフィルム）をエッチング液により除去し、導電パターンを露出させる。その後、上記ランド部に厚さ１５０μｍのメタルマスクを用いて鉛フリー半田（Ｓｎ−３．０Ａｇ−０．５Ｃｕ）をスクリーン印刷し、この半田の上に白色ＬＥＤ（日亜化学工業株式会社の「ＮＳ６Ｗ８３３Ｔ」）を載置し、半田をリフローさせることでＬＥＤを実装する。【０１０９】
次いで、表面に離型処理をしたポリエチレンテレフタレートフィルム（離型フィルム）の表面にエポキシ系接着剤を塗工し、乾燥により接着剤を平均厚さが２０μｍのＢステージ状態とする。さらにこの接着剤の表面に離型フィルムを積層し、接着シートを作成する。この接着シートのＬＥＤ実装領域の投影領域に相当する部分（ＬＥＤの平面積と等面積）を切抜くと同時に、接着シートを上記フレキシブルプリント配線板の外形に合わせて打抜く。その後、接着シートの一方の離型フィルムを剥がし、上記切抜き部分が絶縁フィルム（ベースフィルム）の導電パターン露出領域と一致するように上記フレキシブルプリント配線板の裏面に接着シートを仮貼りする。【０１１０】
接着シートの仮貼り後（接着剤層の積層後）、上記接着シートの裏面に上記切抜き部分よりも幅が５０μｍ広い開口を設けた２００メッシュのスクリーンを載置し、上記切抜き部分（絶縁フィルム（ベースフィルム）及び接着剤の除去部分）に、エポキシ系接着剤と硬化剤と粒径５〜３０μｍのアルミナ粒子及び粒径０．５〜１μｍのアルミナ粒子とを混合した熱伝導率３Ｗ／ｍＫの熱伝導性接着剤をスクリーン印刷により充填する。【０１１１】
熱伝導性接着剤の充填後、上記接着シートの裏面の離型フィルムを剥がし、支持部材である金属板に仮貼りする。この積層体を真空容器中で１００℃に加熱し接着剤の粘度を低下させた後、シリコーンラバーでＬＥＤを実装したフレキシブルプリント配線板の表面側から０．１ＭＰａの圧力を加え、仮圧着する。その後、上記積層体を真空容器から取り出し、予備加熱していたオーブンに入れ、１５０℃で６０分加熱し接着剤を硬化することで、Ｎｏ．１の放熱性回路基板を得る。【０１１２】
［Ｎｏ．２］
まず、フレキシブルプリント配線板の絶縁フィルム（ベースフィルム）の平均厚さを１３μｍ、導電パターンの平均厚さを１８μｍ、カバーレイの絶縁層の平均厚さを１３μｍ、カバーレイの接着層の平均厚さを２０μｍとし、エッチング液の代わりにレーザーによって絶縁フィルム（ベースフィルム）のＬＥＤ実装予定領域の投影領域を除去する以外は上記Ｎｏ．１と同様のフレキシブルプリント配線板を用意する。このフレキシブルプリント配線板に、厚さ１００μｍのメタルマスクを用いる以外はＮｏ．１と同様の手順でＬＥＤを実装する。さらに、上記Ｎｏ．１と同様の接着シート（切抜き部分を有するもの）を用意する。【０１１３】
次に、エポキシ系接着剤とアミン系硬化剤と粒径５〜３０μｍの窒化ホウ素粒子及び粒径０．１〜１μｍのアルミナ粒子を混合した熱伝導率４Ｗ／ｍＫの熱伝導性接着剤を離型フィルムに塗工し、乾燥により熱伝導性接着剤を平均厚さが７０μｍのＢステージ状態とする。この熱伝導性接着シートを上記接着シートの切抜き部分（ＬＥＤの平面積と等面積）よりも幅が１００μｍ広い形状で打抜き加工で離型シートを残してハーフカットする。【０１１４】
次いで、この熱伝導性接着シートをフレキシブルプリント配線板の絶縁フィルム（ベースフィルム）の除去部分（導電パターンの露出部分）に貼る。熱伝導性接着シートを貼付後、上記接着シートの一方の離型フィルムを剥がし、上記切抜き部分が絶縁フィルム（ベースフィルム）の導電パターン露出領域と一致するよう上記フレキシブルプリント配線板の裏面に接着シートを仮貼りする。【０１１５】
上記接着シートをフレキシブルプリント配線板の裏面に仮貼り後、熱伝導性接着シート及び接着シートの裏面の離型フィルムを剥がし、支持部材である金属板に仮貼りする。この積層体を真空容器中で１００℃に加熱し接着剤の粘度を低下させた後、シリコーンラバーでＬＥＤを実装したフレキシブルプリント配線板の表面側から０．２ＭＰａの圧力を加え、仮圧着する。この時、熱伝導性接着剤の粘度が低下し、加圧によって流動することで絶縁フィルム（ベースフィルム）及び接着剤の除去部分に熱伝導性接着剤が充填され導電パターンに当接する。その後、上記積層体を真空容器から取り出し、予備加熱していたオーブンに入れ、１５０℃で６０分加熱し接着剤を硬化することで、Ｎｏ．２の放熱性回路基板を得る。【０１１６】
［Ｎｏ．３］
まず、上記Ｎｏ．１と同様のＬＥＤ実装フレキシブルプリント配線板及び接着シート（切抜き部分を有するもの）を用意し、このフレキシブルプリント配線板の裏面にＮｏ．１と同様の手順で接着シートを仮貼りする。【０１１７】
接着シートの仮貼り後、上記接着シートの切抜き部分にディスペンサを用いて上記Ｎｏ．１と同様の熱伝導性接着剤を吐出し、大気環境中で３０分放置して表面を平坦化することで絶縁フィルム（ベースフィルム）及び接着剤の除去部分に熱伝導性接着剤を充填する。【０１１８】
熱伝導性接着剤の充填後、上記接着シートの裏面の離型フィルムを剥がし、支持部材である金属板に仮貼りする。この積層体を真空容器中で１００℃に加熱し接着剤の粘度を低下させた後、シリコーンラバーでＬＥＤ実装フレキシブルプリント配線板の表面側から０．１ＭＰａの圧力を加え、仮圧着する。その後、上記積層体を真空容器から取り出し、予備加熱していたオーブンに入れ、１５０℃で６０分加熱し接着剤を硬化することで、Ｎｏ．３の放熱性回路基板を得る。【０１１９】
［Ｎｏ．４］
まず、上記Ｎｏ．１と同様のＬＥＤ実装フレキシブルプリント配線板を用意する。次に、離型フィルムの表面にエポキシ系接着剤を塗工し、乾燥により接着剤を平均厚さが２０μｍのＢステージ状態とする。さらにこの接着剤の表面に離型フィルムを積層し、接着シートを作成する。この接着シートのＬＥＤ実装領域の投影領域に相当する部分を切抜くことなく、上記フレキシブルプリント配線板の外形に合わせて打抜く。その後、接着シートの一方の離型フィルムを剥がし、上記フレキシブルプリント配線板の裏面に接着シートを仮貼りする。【０１２０】
上記接着シートの仮貼り後、接着シート裏面の離型フィルムを剥がし、支持部材である金属板に仮貼りする。この積層体を真空容器中で１００℃に加熱し接着剤の粘度を低下させた後、シリコーンラバーでＬＥＤ実装フレキシブルプリント配線板の表面側から０．１ＭＰａの圧力を加え、仮圧着する。その後、上記積層体を真空容器から取り出し、予備加熱していたオーブンに入れ、１５０℃で６０分加熱し接着剤を硬化することで、Ｎｏ．４の放熱性回路基板を得る。【０１２１】
［参考例］
まず、熱伝導率３Ｗ／ｍＫ、平均厚さ８０μｍの熱伝導性接着剤を介して、アルミニウム製の平均厚さ１ｍｍのベース材に銅箔製の平均厚さ３５μｍの導電パターンが積層されたプリント配線板を用意する。このプリント配線板は導電パターンにＬＥＤが実装可能なランド部を有する。【０１２２】
次に、上記プリント配線板のランド部に厚さ１５０μｍのメタルマスクを用いて鉛フリー半田（Ｓｎ−３．０Ａｇ−０．５Ｃｕ）をスクリーン印刷し、この半田の上に白色ＬＥＤを載置し、半田をリフローさせることでＬＥＤを実装し、参考例の放熱性回路基板を得る。【０１２３】
［評価］
上記Ｎｏ．１〜４及び参考例の放熱性回路基板について以下の放熱試験を行った。まず、以下の手順で放熱性回路基板の温度特性を求めた。最初に、リード線を接続した状態で放熱性回路基板を恒温槽中に配置する。次に、恒温槽が３０℃、４０℃、５０℃及び６０℃の各温度に到達毎に３０分以上保持して恒温槽及び放熱性回路基板の温度を安定させ、各温度において、放熱性回路基板に微小電流（例えば４ｍＡの電流）を通電した時の電圧を測定する。放熱性回路基板に通電する電流を微小電流としているのは、ＬＥＤの温度が自己発熱で上昇しないようにするためである。このようにして得た電圧と温度との関係を最小二乗法で直線近似することで、ＬＥＤの温度特性が約−１．４ｍＶ／℃であることが導出される。【０１２４】
次に、室温を２３℃とし、外部からの風の影響を受けない場所に放熱性回路基板が室温になるように放置後、放熱性回路基板にリード線を介し直流電源に接続する。この放熱性回路基板に対し、最初に４ｍＡ通電して室温時の電圧を測定し、その後１５秒間３００ｍＡ通電後、０．１秒以内に電流を４ｍＡに変更して電圧を測定し、再度１５秒間３００ｍＡ通電し０．１秒以内に電流を４ｍＡに変更して電圧を測定する操作を、通電に伴って上昇するＬＥＤの温度が安定する（電圧が一定になる）まで最大で３０分繰り返す。この温度が安定した時点での４ｍＡ通電時の電圧と最初の室温での４ｍＡ通電時の電圧との電圧差を先に測定した上記ＬＥＤの温度特性で割ることで、ＬＥＤの室温からの温度上昇値を導出する。この結果を表１に示す。【０１２５】
【表１】
2015059967.tif 000005
【０１２６】
表１に示すように、Ｎｏ．１〜３の放熱性回路基板は、参考例のアルミニウムをベース材として用いた放熱性回路基板と同等の放熱効果を奏する。
【産業上の利用可能性】
【０１２７】
以上のように、本発明の放熱性回路基板及びその製造方法は、絶縁信頼性が高く、かつ実装された電子部品の放熱を効果的に促進でき、ＬＥＤ照明装置等に好適に用いられる回路基板を提供することができる。
【符号の説明】
【０１２８】
１、１１、２１、３１、４１、５１  放熱性回路基板
２  フレキシブルプリント配線板
２ａ  絶縁フィルム（ベースフィルム）
２ｂ  ランド部
２ｃ  導電パターン
２ｄ  カバーレイ
３  発光ダイオード
４  接着剤層
５  熱伝導性接着剤
６  半田
７、３７  支持部材（金属板）
８  貫通孔
１２  コート層
４７  支持部材
【図１】
2015059967.tif 000006
【図２】
2015059967.tif 000007
【図３】
2015059967.tif 000008
【図４Ａ】
2015059967.tif 000009
【図４Ｂ】
2015059967.tif 000010
【図４Ｃ】
2015059967.tif 000011
【図４Ｄ】
2015059967.tif 000012
【図５】
2015059967.tif 000013
【図６】
2015059967.tif 000014
【図７】
2015059967.tif 000015
【図８】
2015059967.tif 000016
【国際調査報告】
2015059967.tif 000017
2015059967.tif 000018
2015059967.tif 000019
2015059967.tif 000020